(57)【特許請求の範囲】
【請求項１】
端子収容室に臨む可撓性の端子係止ランスを有するコネクタハウジングと、該コネクタハウジング内のハウジング主体部に合体して該端子収容室を画成するフロントホルダとを備えるホルダ合体式コネクタであって、
前記ハウジング主体部の端子収容室底壁及び端子収容室上壁が排除されて、垂直な各端子収容室隔壁の間で端子収容空間に続く上部開口及び下部開口が上下に貫通して、且つ該ハウジング主体部の外側に連通して設けられ、前記フロントホルダに、該上部開口を塞ぐ板壁と該下部開口を塞ぐ底壁が設けられ、該板壁の突出先端部が前記端子係止ランスの撓み空間に進入して該端子係止ランスの撓みを阻止することを特徴とするホルダ合体式コネクタ。
【請求項２】
前記上部開口の上側に前記ハウジング主体部の上壁が設けられ、前記フロントホルダが、該上壁を挿入させる空間を有し、該上壁に沿って前記板壁が位置することを特徴とする請求項１記載のホルダ合体式コネクタ。
【請求項３】
前記フロントホルダを前記ハウジング主体部に仮係止させた状態で前記板壁が前記撓み空間の前方に位置し、且つ前記端子が前記端子収容空間に挿入されることを特徴とする請求項１又は２記載のホルダ合体式コネクタ。
【請求項４】
前記ハウジング主体部の後部側に防水パッキンを嵌着させる周壁が設けられ、該周壁の前方に前記端子収容空間が位置し、該周壁の前端側に前記フロントホルダの後端側が嵌合することを特徴とする請求項１〜３の何れか１項に記載のホルダ合体式コネクタ。
【請求項５】
前記端子収容室隔壁が左右一対の垂直な壁部とそれらを連結する水平な連結壁とで構成されたことを特徴とする請求項１〜４の何れか１項に記載のホルダ合体式コネクタ。
【発明の詳細な説明】
【０００１】
【発明の属する技術分野】
本発明は、コネクタハウジングとフロントホルダとの合体により端子収容室を画成させるホルダ合体式コネクタに関するものである。
【０００２】
【従来の技術】
図１０〜図１２は従来のホルダ合体式コネクタの一形態（特開平１１−２２４７１３号）を示すものである。
このホルダ合体式コネクタ８１（図１１）は、合成樹脂製のコネクタハウジング８２と、コネクタハウジング８２の前部開口から空室内に挿入されて端子収容室８４を画成する合成樹脂製のフロントホルダ８３と、後部開口から端子収容室８４内に挿入される電線付きの端子８５とで構成されている。
【０００３】
図１０の如く、コネクタハウジング８２の空室内に可撓性の端子係止ランス８６が突出し、係止ランス８６の後方に端子収容室の一部である端子挿入孔８７が設けられている。
【０００４】
フロントホルダ８３は、前壁８８と左右の側壁８９と上壁９０と短い下壁９１と中間の隔壁９２とを有し、前壁８８に相手端子挿入孔とランス係止解除用の治具棒挿入孔とが設けられている。
【０００５】
図１１の如く、フロントホルダ８３をコネクタハウジング８２内に挿入係止させた状態で、中間の隔壁９２と上下の各壁部９０，９１との間に端子収容室８４が構成される。この状態でコネクタハウジング８２内に端子８５が挿入され、端子８５の箱状の電気接触部の後段部が係止ランス８６で当接係止される。
【０００６】
図１２に図１１のＣ−Ｃ断面図を示す如く、コネクタハウジング８２の樹脂成形に際してフロントホルダ８３のない状態で係止ランス８６を形成できるから、係止ランス８６の幅をフロントホルダ８３の内壁面に近接する如く大きくとることができ、係止ランス８６の係止力が向上すると共に、コネクタ８１の横幅方向の小型化が可能となっている。
【０００７】
【発明が解決しようとする課題】
しかしながら、上記従来のホルダ合体式コネクタ８１にあっては、横幅方向の小型化は可能であるが、縦方向（高さ方向）の小型化という点では、フロントホルダ８３の上下の壁部９０，９１とコネクタハウジング８２の上下の壁部９３，９４（図１０）とが重なり合うために、無駄が多く、小型化を達成できないという問題があった。また、端子８５の係止力を高めるために、端子８５を係止ランス８６と他の部材とで二重係止する必要があるが、他の係止部材を用いることで、係止作業に手間がかかると共に、コネクタ８１の構造が複雑化・大型化しやすいという問題があった。
【０００８】
本発明は上記した点に鑑み、特に高さ方向（図１１で上下方向）の小型化を図り、小型化によっても相手側コネクタとの電気的接続の信頼性を損なうことがなく、しかも端子を簡単且つ確実に二重係止することができるホルダ合体式コネクタを提供することを目的とする。
【０００９】
【課題を解決するための手段】
上記目的を達成するために、本発明の請求項１に係るホルダ合体式コネクタは、端子収容室に臨む可撓性の端子係止ランスを有するコネクタハウジングと、該コネクタハウジング内のハウジング主体部に合体して該端子収容室を画成するフロントホルダとを備えるホルダ合体式コネクタであって、
前記ハウジング主体部の端子収容室底壁及び端子収容室上壁が排除されて、垂直な各端子収容室隔壁の間で端子収容空間に続く上部開口及び下部開口が上下に貫通して、且つ該ハウジング主体部の外側に連通して設けられ、前記フロントホルダに、該上部開口を塞ぐ板壁と該下部開口を塞ぐ底壁が設けられ、該板壁の突出先端部が前記端子係止ランスの撓み空間に進入して該端子係止ランスの撓みを阻止することを特徴とする。
上記構成により、フロントホルダがハウジング主体部に合体することで、端子収容空間の上部開口及び下部開口がフロントホルダの板壁と底壁で塞がれて、四方を囲まれた端子収容室が完成する。そして、ハウジング主体部の端子収容室底壁及び端子収容室上壁が排除されたことで、端子収容室底壁及び端子収容室上壁の厚みに相当する寸法分だけコネクタハウジングの上下方向の小型化が可能となる。また、フロントホルダの板壁が端子収容空間の上部開口を塞ぐと共に端子係止ランスの撓みを阻止して端子の係止力を高める働きをするから、壁部とは別のランス撓み防止部材が不要で、コネクタ構造が簡素化、小型化される。
【００１０】
請求項２に係るホルダ合体式コネクタは、請求項１に係るホルダ合体式コネクタにおいて、前記上部開口の上側に前記ハウジング主体部の上壁が設けられ、前記フロントホルダが、該上壁を挿入させる空間を有し、該上壁に沿って前記板壁が位置することを特徴とすることを特徴とする。
上記構成により、ハウジング主体部の上壁がフロントホルダの空間に挿入され、フロントホルダの板壁が上壁に接することで、フロントホルダがハウジング主体部にガタ付きなく安定に支持されて正確に位置決めされる。これにより、端子の挿入位置精度が向上し、相手側コネクタとの電気的接続の信頼性が高まる。また、フロントホルダの板壁がハウジング主体部の上壁に接することで、板壁の反りや変形が防止され、板壁で端子係止ランスの撓みを強力に阻止できると共に、壁部の薄肉化が可能で、フロントホルダひいてはコネクタ全体の高さ方向の小型化が可能となる。
【００１２】
請求項３に係るホルダ合体式コネクタは、請求項１又は２に係るホルダ合体式コネクタにおいて、前記フロントホルダを前記ハウジング主体部に仮係止させた状態で前記板壁が前記撓み空間の前方に位置し、且つ前記端子が前記端子収容空間に挿入されることを特徴とする。
上記構成により、フロントホルダの仮係止状態で端子を挿入することで、端子がフロントホルダの板壁に沿って案内されつつスムーズ且つ確実に挿入され、次いでフロントホルダを端子挿入反対方向に押し込んで本係止させることで、フロントホルダの板壁が撓み空間内に進入して端子を確実に二重係止させる。
【００１３】
請求項４に係るホルダ合体式コネクタは、請求項１〜３の何れか１項に係るホルダ合体式コネクタにおいて、前記ハウジング主体部の後部側に防水パッキンを嵌着させる周壁が設けられ、該周壁の前方に前記端子収容空間が位置し、該周壁の前端側に前記フロントホルダの後端側が嵌合することを特徴とする。
上記構成により、防水パッキンを用いて相手側コネクタとの間の防水を行わせることができる。また、周壁をフロントホルダに嵌合させることで、フロントホルダがガタ付きなく安定に位置決め兼支持される。
【００１４】
請求項５に係るホルダ合体式コネクタは、請求項１〜４の何れか１項に係るホルダ合体式コネクタにおいて、前記端子収容室隔壁が左右一対の垂直な壁部とそれらを連結する水平な連結壁とで構成されたことを特徴とする。
上記構成により、端子収容空間を構成する各隔壁が連結壁で連結されることで、ハウジング主体部の剛性が高まり、反りや変形が防止されて、各端子収容空間が並列に正確なピッチで位置決めされる。これにより、各端子収容空間に挿入された端子と相手側端子との電気的接続の信頼性が高まる。
【００１５】
【発明の実施の形態】
以下に本発明の実施の形態を図面に基づいて詳細に説明する。
図１〜図３は、本発明に係るホルダ合体式コネクタの第一の実施形態を示すものである。
【００１６】
このホルダ合体式コネクタ１（図３）は、図１に示す合成樹脂製の雄型のコネクタハウジング２と、図２の如くコネクタハウジング２のフード部３の内側のハウジング主体部４に合体する合成樹脂製のフロントホルダ５と、図３の如くハウジング主体部２とフロントホルダ５の内部に挿入される電線６付きの雌型の端子７とで構成されている。
【００１７】
そして、図１の如くハウジング主体部４の端子収容室の底壁（キャビティ底壁）の前半部分と、同じく端子収容室の上壁（キャビティ上壁）とが大きく切欠され（切欠された開口部を符号８，９で示す）、図３の如くフロントホルダ５の底壁（壁部）１０が下側の開口部８を塞ぎつつハウジング主体部４の後部底壁１１と合体してキャビティ底壁を補完し、且つフロントホルダ４の端子二重係止用の板壁（壁部）１２が上側の開口部９を塞ぎつつキャビティ上壁を構成し、同時にハウジング主体部４の端子係止ランス１３の撓み空間１４内に進入して、端子７を二重係止させる。
【００１８】
図１の如く、コネクタハウジング２は外側に略矩形環状のフード部３を有し、フード部３に相手側の雌型のコネクタ（図示せず）に対する水平なロックアーム１５が形成され、フード部３の内側空間２９において垂直な基壁１６から前方にハウジング主体部４が一体に突出形成され、基壁１６から後方に、端子挿入孔１７を有する略円筒状の挿入部１８が形成されている。端子挿入孔１７はハウジング主体部４の端子収容空間１９に連通し、端子収容空間１９は横方向に複数並列に配置され、挿入部１８は各端子収容空間１９に対応して位置している。
【００１９】
図４（コネクタハウジング２の正面図）にも示す如く、端子収容空間１９は左右の垂直な隔壁２０の間に形成されて、上下両方向に開口部８，９を有している。左右の隔壁２０は端子挿入孔１７（図１）の内壁から端子挿入方向に延長形成され、前端内面に、端子７（図３）の前端を当接させる停止突部２１を有している。図１は図４のＡ−Ａ断面図である。なお、本明細書では、突出したハウジング主体部４を有する側を雄型のコネクタ、ハウジング主体部４とフロントホルダ５との合体部に対する嵌合室を有する側を雌型のコネクタと定義する。
【００２０】
図４で隣接する各端子挿入空間１９の間には、各隔壁２０を連結する幅狭な水平な連結壁２２が設けられ、連結壁２２とその両側の隔壁２０とで縦断面略凹字状の壁部が形成されている。連結壁２２は図１の隔壁２０と同じ長さで形成されている（図１に連結壁２２は示されていない）。端子挿入空間１９の上部開口９の上側には水平方向のスリット状の板壁挿入空間２３が設けられ、板壁挿入空間２３の上側にハウジング主体部４の上壁２４と、上壁２４と一体で且つ同一平面上のロックアーム２５とが設けられている。ロックアーム２５はフロントホルダ５に対する仮係止部と本係止部とを長手方向に順に有している。
【００２１】
ロックアーム２５はフロントホルダ５を係止させるためのものであり、上壁２４と同一平面に位置したことで、コネクタハウジング２の高さ方向の小型化に寄与している。図４で符号２６は基壁１６から突出された矩形環状の周壁部を示し、周壁部２６に厚肉の上壁２４と薄肉の底壁後半部１１とが一体に形成されている。
【００２２】
図１の如く、周壁部２６は中間に段部２６ａを有し、底壁後半部１１の前半側の部分１１ａはさらに薄肉に形成されている。周壁部２６の外面には図２の如く相手側の雌型のコネクタ（図示せず）に接する防水パッキン２７が嵌着される。ハウジング主体部４（図１）の上壁２４は垂直な基壁１６から前方に長く突出され、フード部３の前部開口２８の近くまで延びている。底壁後半部１１は上壁２４と平行に基壁１６から短く突出し、上壁２４の半分程度の長さで形成されている。上壁２４はフード部３と同程度の厚さであり、底壁後半部１１は上壁２４の半分程度の厚さである。
【００２３】
上壁２４の基部側から可撓性の端子係止ランス１３が各端子収容空間１９毎に斜め前方下側に向けて突出形成され、係止ランス１３と上壁２４との間にランス撓み空間１４が位置し、係止ランス１３の前端は底壁後半部１１の前端よりも少し後方に位置している。
【００２４】
図２の如く、ハウジング主体部４に端子７（図３）を挿入しない状態で前方からフロントホルダ５が外挿されて、前記ロックアーム２５（図４）とフロントホルダ５のロック部（図示せず）とで仮係止される。
【００２５】
図５にフロントホルダ５の一形態を示す如く、フロントホルダ５は略矩形筒状に形成され、周壁３１と一体に厚めの底壁１０と、図２の如くやや薄めの上壁３２と、上壁３２の下側において端子二重係止用の板壁１２とを有し、底壁１０と板壁１２との間にハウジング主体部４（図２）の各隔壁２０を挿入させる横長スリット状の空間３３が設けられている。底壁１０には、ハウジング主体部４の端子収容空間１９（図１）の下部開口８に対向して端子収容室を構成する浅い凹溝部３４が形成されている。各凹溝部３４に対応してフロントホルダ５の前端に相手側の雄端子（図示せず）に対するガイドテーパ面３５が形成されている。図２の如く、上壁３２と板壁１２との間にハウジング主体部４の上壁２４を挿入させる横長スリット状の空間３６が設けられている。図５の如く上壁３２と板壁１２とは前端壁３７で連結されている。
【００２６】
図５で上壁３２と板壁１２との間の空間３６内には、ハウジング主体部４（図２）に対するロック部（図示せず）が設けられている。周壁３１の後部は図２の如くテーパ部３８を介して外側に拡げられ、その拡げ部分３９にハウジング主体部４の周壁２６（図１）の前半部（符号１１ａで代用）が挿入可能となっている。
【００２７】
図２の如く端子二重係止用の板壁１２は薄肉に形成され、上壁３２と平行に後方に延び、フロントホルダ５の後部開口３９から突出している。板壁１２の先端側の部分はハウジング主体部４のランス撓み空間１４内に進入可能である。板壁１２の先端部分には係止ランス１３の裏面に接する突部４１が形成されている。
【００２８】
図６に図５のＢ−Ｂ断面を示す如く、端子二重係止用の板壁１２はフロントホルダ５の横方向の内幅よりも若干狭い幅で略矩形平板状に形成され、前記突部４１を各端子収容空間１９（図１）に対応して並列に有している。板壁１２の両側端４２は周壁３１の内側壁に連結されている。図６で符号４３は溝状の部分を示す。
【００２９】
図２のフロントホルダ５の仮係止状態で、ハウジング主体部４の上壁２４がフロントホルダ５の上壁３２と板壁１２との間に途中まで挿入され、板壁１２の二重係止用の突部４１は係止ランス１３の前端よりも前方（係止ランス撓み空間外）に位置し、係止ランス１３は撓み自在である。ハウジング主体部４の隔壁２０はフロントホルダ５の下側の空間３３内に途中まで進入し、フロントホルダ５の底壁１０はハウジング主体部４の隔壁２０の先端部下側に接し、底壁１０の後端側の広がり部分３９はハウジング主体部４の底壁後半部１１のやや前方に位置する。
【００３０】
このフロントホルダ５の仮係止状態で端子７がハウジング主体部４内に完全に挿入される。その際、端子７の前半の箱状の電気接触部４４が係止ランス１３を撓ませつつハウジング主体部４の端子収容空間１９に進入し、フロントホルダ５の底壁１０に沿ってフロントホルダ５の空間３３内に途中まで進入し、隔壁前端の停止突部２１に当接して停止する。フロントホルダ５の底壁１０が端子７の前端下部を前方に案内するから、端子７（図３）の挿入がスムーズに行われる。係止ランス１３の先端は端子７の箱状の電気接触部４４の後段部４４ａに当接し、それにより端子７が係止される。本形態の端子付き電線６は、端子挿入孔１７に嵌合する防水ゴム栓４５を有している。
【００３１】
端子挿入後にフロントホルダ５を後方に完全に押し込むことで、図３の如くフロントホルダ５がハウジング主体部４に本係止されつつ、フロントホルダ５の板壁１２の先端部分がランス撓み空間１４内に進入し、係止ランス１３の撓みを阻止して、端子７を二重係止させる。相対的にハウジング主体部４の上壁２４はフロントホルダ５の上部空間３６（図２）に完全に挿入され、端子７はフロントホルダ５の下部空間３３（図２）に完全に挿入される。フロントホルダ５の環状の広がり部分３９はハウジング主体部４の周壁２６の前半部分の外周面に嵌合する。
【００３２】
このように、ハウジング主体部４の厚肉の上壁２４がフロントホルダ５内に深く挿入されることで、フロントホルダ５がハウジング主体部４にガタ付きやゆがみ等なく安定に支持され、端子７の保持性が高まる。また、端子二重係止用の薄肉の板壁１２が端子収容室の上壁を兼ねることで、構造が簡素化され、コネクタハウジング２の高さ方向の小型化が可能となる。また、ハウジング主体部４のキャビティ底壁をなくしてフロントホルダ５の底壁１０で代用させたことで、コネクタハウジング２の樹脂成形時に従来のハウジング主体部の底壁の板厚寸法分だけコネクタハウジング２を高さ方向に小型化することができると共に、端子収容室を小型化することができる。また、ハウジング主体部４の基部側に周壁２６を設けて防水パッキン２７を嵌着したことで、相手側の雌型のコネクタとの間の防水を確実に行わせることができる。
【００３３】
なお、防水パッキン２７を用いない場合には、コネクタハウジング２（図１）の基壁１６から周壁２６を設けずに直接ハウジング主体部４の上壁２４を突出させると共に、ハウジング主体部４の底壁１１は全く形成せずに、端子収容室の底壁（キャビティ底壁）をフロントホルダ５の底壁１０で完全に代用させることも可能である。この場合も、各端子収容室の間にはハウジング主体部４の水平な連結壁２２が位置することが位置決め性及び強度性の点から好ましい。また、本実施形態ではハウジング主体部４のキャビティ底壁をなくしているが、図３の上下を反転させた如くにキャビティ底壁に代えてキャビティ上壁をなくすことも可能である。
【００３４】
図７は、本発明に係るホルダ合体式コネクタの第二の実施形態を示し、図８，図９はホルダ合体式コネクタを構成する雌型のコネクタハウジングとフロントホルダをそれぞれ示すものである。
【００３５】
図７の如く、このホルダ合体式コネクタ５１は上記第一の実施形態の雄型のコネクタ１に対応した雌型のコネクタであり、コネクタ嵌合室５２を有する雌型のコネクタハウジング５３と、コネクタ嵌合室５２内に前部開口５２ａから挿入されるフロントホルダ５４と、コネクタハウジング５４の端子収容空間５５内に後部挿入孔５６から挿入される電線付きの雄端子（図示せず）とで構成される。
【００３６】
図７，図８の如く、コネクタハウジング５３のコネクタ嵌合室５２内には基壁５７からハウジング主体部５８が前方に突出形成され、ハウジング主体部５８は水平な底壁５９と、底壁５９から立ち上げられた垂直な複数の隔壁６０と、隔壁６０の前端側に形成された停止突部６１とを有し、底壁５９と両側の隔壁６０とで囲まれて縦断面凹溝状の端子収容空間５５が構成され、端子収容空間５５は横方向に並列に配置されている。上記第一の実施形態ではキャビティ底壁が排除されていたのに対し、本実施形態ではキャビティ上壁が排除されている。
【００３７】
ハウジング主体部５８の底壁５９は各隔壁６０を水平に連結する如く基壁５７から一枚の矩形板状に突出形成されている。端子収容空間５５は後方の端子挿入孔５６ａに連通している。端子収容孔５６ａ内に可撓性の端子係止ランス６２が設けられている。端子収容空間５５の上部開口７１に対向して、フロントホルダ５４に対する一対のロックアーム（図示せず）が設けられている。コネクタ嵌合室５２内でハウジング主体部５８の周囲には環状のホルダ挿入空間５２ｂが構成されている。
【００３８】
図９の如くフロントホルダ５４は底壁６３と上壁６４とを含んで略矩形環状に形成され、上壁６４の下側において端子二重係止用の板壁（壁部）６５が第一の実施形態よりも前方に長く水平に突出形成され、板壁６５の上面に、前記一対のロックアームの間に進入するロック部６６が設けられている。板壁６５の下面には、隔壁６０（図７）をスライド係合させる溝６７が真直に設けられている。板壁６５と下壁６３との間にハウジング主体部５８（図８）が進入する横長の空間６８が形成されている。また、上壁６４の下側において板壁６５の裏面に図７の如く雄端子の箱状部（図示せず）に押接する突部７０が形成されている。
【００３９】
図７においてフロントホルダ５４はコネクタハウジング５３内に完全に押し込まれて本係止されており、第一の実施形態と同様にフロントホルダ５４の仮押し込み（仮係止）の状態で雄端子（図示せず）が後方から挿入され、雄端子のピン状の電気接触部（図示せず）がフロントホルダ５４を貫通してコネクタ嵌合室５２内に突出し、電気接触部に続く箱状部の後端が係止ランス６２で係止される。端子は突部７０で押接されてガタ付きなく安定に保持される。
【００４０】
次いで図７の如くフロントホルダ５４が完全に押し込まれてロック手段（ロックアームとロック部６６）で本係止される。フロントホルダ５４の板壁６５は係止ランス６２の撓み空間６９内に進入して、係止ランス６２の撓みを阻止すると共に、端子収容空間５５の上壁となって端子収容室を構成する。
【００４１】
本実施例によっても前記実施形態と同様な効果が得られる。特に、フロントホルダ５４の端子二重係止用の板壁６５が端子収容室の上壁を兼ねることで、コネクタハウジング５３の樹脂成形時にハウジング主体部５８を高さ方向に小型化することができ、コネクタハウジング５３全体すなわちコネクタ５１が高さ方向に小型化される。
【００４２】
【発明の効果】
以上の如く、請求項１記載の発明によれば、ハウジング主体部の端子収容室底壁及び端子収容室上壁が排除されたことで、端子収容室底壁及び端子収容室上壁の厚みに相当する寸法分だけコネクタハウジングの上下方向の小型化が達成される。また、フロントホルダの板壁が端子収容空間の上部開口を塞ぐと共に端子係止ランスの撓みを阻止して端子の係止力を高める働きをするから、板壁とは別のランス撓み防止部材が不要で、コネクタ構造が簡素化され、特にコネクタの高さ方向の小型化が達成される。
【００４４】
請求項２記載の発明によれば、ハウジング主体部の上壁がフロントホルダの空間に挿入され、フロントホルダの板壁が上壁に接することで、フロントホルダがハウジング主体部にガタ付きなく安定に支持されて正確に位置決めされるから、端子の挿入位置精度が向上し、相手側コネクタとの電気的接続の信頼性が高まる。また、フロントホルダの板壁がハウジング主体部の上壁に接することで、板壁の反りや変形が防止され、板壁で端子係止ランスの撓みを強力に阻止できると共に、板壁の薄肉化が可能で、フロントホルダひいてはコネクタ全体の高さ方向の小型化が可能となる。
【００４５】
請求項３記載の発明によれば、フロントホルダの仮係止状態で端子を挿入することで、端子がフロントホルダの板壁に沿って案内されつつスムーズ且つ確実に挿入され、次いでフロントホルダを端子挿入反対方向に押し込んで本係止させることで、フロントホルダの板壁が撓み空間内に進入して端子を確実に二重係止させるから、端子の係止力が高まり、端子の後抜けが確実に防止される。
【００４６】
請求項４記載の発明によれば、防水パッキンによりコネクタの防水性が向上することは勿論のこと、周壁をフロントホルダに嵌合させることで、フロントホルダがガタ付きなく安定に位置決め且つ兼支持されるから、端子の挿入位置精度が向上し、相手側コネクタとの電気的接続の信頼性が高まる。
【００４７】
請求項５記載の発明によれば、端子収容空間を構成する各隔壁が連結壁で連結されることで、ハウジング主体部の剛性が高まり、反りや変形が防止されて、各端子収容空間が並列に正確なピッチで位置決めされるから、相手側コネクタとの電気的接続の信頼性が高まる。
【図面の簡単な説明】
【図１】本発明に係るホルダ合体式コネクタの第一の実施形態におけるコネクタハウジングを示す縦断面図である。
【図２】同じくコネクタハウジングにフロントホルダを仮係止させた状態を示す縦断面図である。
【図３】同じくコネクタハウジングに端子を挿入してフロントホルダを本係止させた状態のホルダ合体式コネクタを示す縦断面図である。
【図４】同じくコネクタハウジングを示す正面図である。
【図５】同じくフロントホルダを示す斜視図（斜め前方から見た状態）である。
【図６】同じくフロントホルダを示す図５のＢ−Ｂ断面図である。
【図７】本発明に係るホルダ合体式コネクタの第二の実施形態を示す縦断面図である。
【図８】第二の実施形態におけるコネクタハウジングを示す横断面図である。
【図９】第二の実施形態におけるフロントホルダを示す斜視図である。
【図１０】従来のホルダ合体式コネクタの一形態を示す分解状態の縦断面図である。
【図１１】同じく従来のホルダ合体式コネクタを示す組付状態の縦断面図である。
【図１２】同じく従来のホルダ合体式コネクタを示す図１１のＣ−Ｃ断面図である。
【符号の説明】
１，５１    ホルダ合体式コネクタ
２，５３    コネクタハウジング
４，５８    ハウジング主体部
５，５４    フロントホルダ
８          下部開口
９，７１    上部開口
１０        底壁（壁部）
１２，６５  板壁（壁部）
１３，６２  端子係止ランス
１４，６９  撓み空間
１９，５５  端子収容空間
２０        隔壁
２２        連結壁
２４        上壁
２６        周壁
２７        防水パッキン
３６        空間
【図１】
0003720282.tif 000002
【図２】
0003720282.tif 000003
【図３】
0003720282.tif 000004
【図４】
0003720282.tif 000005
【図５】
0003720282.tif 000006
【図６】
0003720282.tif 000007
【図７】
0003720282.tif 000008
【図８】
0003720282.tif 000009
【図９】
0003720282.tif 000010
【図１０】
0003720282.tif 000011
【図１１】
0003720282.tif 000012
【図１２】
0003720282.tif 000013